(57)【要約】【課題】既設ルームミラーの上下方向の大きさや形状に関係無く、既設ルームミラー上の所望の位置に体裁よく取付けることが出来る補助ルームミラーを提供すること。【解決手段】本発明による補助ルームミラーは、その背面に既設ルームミラーの上下端部と係合する上下フックを備え、上下フックの一方が上下方向に可動であり、他方のフックに向かって付勢されている補助ルームミラーにおいて、前記他方のフックが上下方向に位置調節自在であることを特徴とする。【選択図】図５ 
2005053298.tif 000002
【特許請求の範囲】
【請求項１】
補助ルームミラーにして、その背面に既設ルームミラーの上下端部と係合する上下フックを備え、上下フックの一方が上下方向に可動であり、他方のフックに向かって付勢されている補助ルームミラーにおいて、
前記他方のフックが上下方向に位置調節自在であることを特徴とする補助ルームミラー。
【請求項２】
請求項１の補助ルームミラーにおいて、前記上下方向に可動のフックが少なくとも一つ設けられ、前記位置調節自在のフックが少なくとも一つ設けられていることを特徴とする補助ルームミラー。
【請求項３】
請求項１の補助ルームミラーにおいて、前記位置調節自在のフックは、一方の面に係止部と、該係止部の中央に上下方向に延在するスロットとを有し、
該補助ルームミラーの背面には、カンチレバー状の舌片が設けられ、
該舌片は、その自由端部に前記係止部と係合するラッチ部と、前記スロット内に勘合する突起とを有していることを特徴とする補助ルームミラー。
【請求項４】
請求項３の補助ルームミラーにおいて、前記係止部と前記ラッチ部とは鋸刃状であることを特徴とする補助ルームミラー。
【請求項５】
請求項３の補助ルームミラーにおいて、前記係止部は角溝であり、前記ラッチ部は角柱状であることを特徴とする補助ルームミラー。
【発明の詳細な説明】
【技術分野】
【０００１】
本発明は自動車のルームミラーに取付ける補助ルームミラーに関するものである。
【背景技術】
【０００２】
自動車の車室内に装備されている既設ルームミラーに、後方への広い視界を得るために、補助ルームミラーを取付ける場合がある。補助ルームミラーは、その背面の上下にフックを有しており、一方のフックが背面に固定され、他方のフックが上下方向に可動にされ、可動側のフックが固定側のフックに向かってばねによって付勢されている（例えば、特開２０００−１６８４４３号公報）。
【０００３】
補助ルームミラーの既設ルームミラーへの取付けは、先に可動側のフックを既設ルームミラーの上端及び下端の一方に係合させ、補助ルームミラー本体をばねの付勢力に抗して引っ張り、上下のフック間の間隔を広げ、固定側フックを既設ルームミラーの上端及び下端の他方に係合させ、上下フックで既設ルームミラーを挟持することによって行われる。
【０００４】
その結果、補助ルームミラーは、既設ルームミラーに整合せず、既設ルームミラーに対して固定側フックの方に片寄って取付けられることになる。このため、既設ルームミラーの上下方向の大きさによっては、図２に示すように、補助ルームミラーの上方又は下方に既設ルームミラーの端部が露出してしまい、体裁が悪くなっている。
【０００５】
又、使用者の好みによっては、補助ルームミラーを既設ルームミラーの左寄り或いは右寄りに取付ける場合がある。その場合、既設ルームミラーの湾曲した端部輪郭に固定側フックが倣うため、補助ルームミラーが既設ルームミラーに対して傾いて取付けられることになり、これも体裁を悪くしている。
【特許文献１】特開２０００−１６８４４３号公報
【発明の開示】
【発明が解決しようとする課題】
【０００６】
本発明の目的は、既設ルームミラーの上下方向の大きさや形状に関係無く、既設ルームミラーと整合して取付けることが出来る補助ルームミラーを提供することである。
【課題を解決するための手段】
【０００７】
本発明による補助ルームミラーは、その背面に既設ルームミラーの上下端部と係合する上下フックを備え、上下フックの一方が上下方向に可動であり、他方のフックに向かって付勢されている補助ルームミラーにおいて、前記他方のフックが上下方向に位置調節自在であることを特徴とする。
【０００８】
上記の構成をもって、上下方向に位置調節自在なフックをあらかじめ補助ルームミラーが既設ルームミラーに体裁よく取付けることが出来る位置に調節して固定し、可動のフックを既設ルームミラーの上端及び下端の一方と係合させて既設ルームミラー本体を付勢力に抗して引っ張り、フック間隔を広げ、その位置が固定された位置調節自在なフックを既設ルームミラーの上端及び下端の他方と係合させて上下フックで既設ルームミラーを挟持させることによって、補助ルームミラーを取付ける。
【０００９】
補助ルームミラーの可動側でないフックが既設ルームミラーの上下方向の大きさや形状に応じて、位置調節自在であるので、補助ルームミラーは既設ルームミラーと整合して取付けられ、その上方又は下方から既設ルームミラーの端部が露出することや、既設ルームミラーに対して傾いて取付けられることがなくなる。
【発明の効果】
【００１０】
本発明によれば、既設ルームミラーの大きさや形状と関係無く、補助ルームミラーを既設ルームミラーと整合させて取付けることが出来、補助ルームミラーの上方又は下方から既設ルームミラーの端部が露出したり、補助ルームミラーが既設ルームミラーに対して傾いて取付けられて、体裁が悪化することを防止できる。
【発明を実施するための最良の形態】
【００１１】
本発明による補助ルームミラーを添付図面を参照して説明する。
【００１２】
補助ルームミラー１０はその背面に上下にフック１１、１２を有している。下側のフック１２はミラー背面に形成された溝内に上下方向に摺動自在に挿入されていて、ねじりばね１３によって上側のフック１１の方向へ付勢されている。
【００１３】
上側のフック１１も、同じく、ミラー背面に形成された溝１４内に上下方向に摺動自在に挿入されている。上側のフック１１はその一方の面に鋸刃状の係止部１５を有し、係止部１５の中央には上下方向に延在するスロット１６が形成されている。
【００１４】
ミラー背面の溝１４内にはカンチレバー状の舌片１９が設けられている。舌片１９はその自由端部に鋸刃状のラッチ部１７が設けられ、ラッチ部１７の中央には突起１８が形成されている。フック１１が溝１４内に挿入された時、突起１８はスロット１６内に嵌合し、ラッチ部１７とフック１１の係止部１５とが互いに係合して、フック１１の上下方向の位置を確定するようになっている。
【００１５】
補助ルームミラー１０を既設ルームミラー上に取付けるには、まず、フック１１の位置を既設ルームミラーの大きさや形状に応じて決定する。フック１１を溝１４内に押しこむと、舌片１９が撓んでフック１１は溝１４内の所望の位置まで挿入可能となる。所望の位置までフック１１を押しこむと、舌片１９のラッチ部１７がフック１１の係止部１５とが互いに係合し、フック１１の位置が決定され、フック１１は引き出し不可となる。この状態で、ばね付勢された可動側のフック１２を既設ルームミラーの上端及び下端の一方に係合させて補助ルームミラー本体を付勢力に抗して引っ張り、フック１１、１２間の間隔を広げ、位置決めされたフック１１を既設ルームミラーの上端及び下端の他方に係合させ、フック１１、１２で既設ルームミラーを挟持する。これにより、補助ルームミラー１０は図１に示すように既設ルームミラーと整合して取付けられる。
【００１６】
補助ルームミラー１０を既設ルームミラーに対して右寄り或いは左寄りに取付ける場合には、左右のフック１１の上下方向の固定位置を既設ルームミラーの湾曲した端部輪郭に対応してそれぞれ変えて、前記方法と同じように取付ける。これにより、補助ルームミラーは既設ルームミラーに対して傾いて取付けられることがなくなる。
【００１７】
フック１１の位置決めの際、フック１１を押し込み過ぎた場合には、突起１８を押して、ラッチ部１７と係止部１５との係合を解除すれば、フック１１は引き出し可能となり、位置の再調整が出来る。
【００１８】
上記実施例では、鋸刃状の係止部１５と鋸刃状のラッチ部１７との一方向係止手段を使用しているが、鋸刃状係止部と鋸刃状ラッチ部の代わりに角溝状係止部と角柱状ラッチ部を設け、両方向係止手段としてもよい。その場合には、フック１１の位置決めの際、フック１１を押しこむ時も引き出す時も突起１８を押して、係止部とラッチ部の係合を解除する必要がある。
【００１９】
さらに、上記実施例では、上側フック及び下側フックそれぞれ一対のフックが設けられているが、フックの横方向寸法、すなわち幅を大きくすれば、それぞれ単数のフックでも補助ルームミラーを既設ルームミラー上に取付けることが出来る。
【図面の簡単な説明】
【００２０】
【図１】本発明による補助ルームミラーを既設ルームミラーに取付けた状態をミラー側から見た図。
【図２】従来技術による補助ルームミラーを既設ルームミラーに取付けた状態をミラー側から見た図。
【図３】本発明による補助ルームミラーを背面側から見た図。
【図４】本発明による補助ルームミラーをミラーの一部を省略してミラー側から見た図。
【図５】本発明による補助ルームミラーをミラーの一部を省略すると共に位置調節自在なフックの一つが挿入される前の状態をミラー側から見た斜視図。
【図６】本発明による補助ルームミラーを位置調節自在なフックの一つが挿入される前の状態を背面側から見た斜視図。
【図７】本発明による補助ルームミラーの位置調節自在なフックの縦断面図。
【図８】図７の線Ｂ−Ｂに沿った断面図。
【図９】図７の線Ａ−Ａに沿った断面図。
【符号の説明】
【００２１】
１０  本発明による補助ルームミラー
１１  フック
１２  可動側フック
１３  ばね
１４  溝
１５  係止部
１６  スロット
１７  ラッチ部
１８  突起
１９  舌片
【図１】
2005053298.tif 000003
【図２】
2005053298.tif 000004
【図３】
2005053298.tif 000005
【図４】
2005053298.tif 000006
【図５】
2005053298.tif 000007
【図６】
2005053298.tif 000008
【図７】
2005053298.tif 000009
【図８】
2005053298.tif 000010
【図９】
2005053298.tif 000011